(57)【特許請求の範囲】
【請求項１】
建屋フレームに支持されて舞台の左右両側部に設けられその側面形は中央部が湾曲し同湾曲部より上部は舞台後方上部において鉛直であり同湾曲部より下部は舞台上方において前方やや斜め上方へ向けて傾斜した形状を有する一対のガイドレール、互いに縁を近接させた複数の音響反射板と上記ガイドレールに沿って転動するよう側部に設けられた自走車輪と従動車輪とを備えた音響反射板組立体、上記ガイドレールの鉛直部の上方に設けられた正逆回転可能な巻き揚げ機、及び同巻き揚げ機によって上記音響反射板組立体をガイドレールに沿って昇降させるロープからなり、音響反射板を使わない時は音響反射板を引き上げて上記両ガイドレールの鉛直部の間に収納し、音響反射板を使う時は音響反射板の引き上げを解除して上記両ガイドレールの傾斜部の間に展張することを特徴とする舞台の音響反射板装置。
【請求項２】
上記ロープの端が、蝶番によって音響反射板組立体に接続された連結金具に取り付けられていることを特徴とする請求項１に記載の舞台の音響反射板装置。
【請求項３】
音響反射板組立体に連なるロープの、巻き揚げ機のロープドラムに巻かれた後の端部には、カウンターウエイトが吊り下げられていることを特徴とする請求項１に記載の舞台の音響反射板装置。
【請求項４】
上記巻き揚げ機は、正逆回転可能の駆動部と、同駆動部に連なる駆動軸と、同駆動軸に複数個取り付けられたロープドラムと、各ロープドラムに対応して設けられた滑車と、ロープ端部に吊り下げるカウンターウエイトとから構成され、複数のロープドラムに対応する複数のロープによって音響反射板組立体が昇降させられることを特徴とする請求項１〜請求項３に記載の舞台の音響反射板装置。
【発明の詳細な説明】
【０００１】
【発明の属する技術分野】
本発明は舞台の音響反射板装置に関するものである。
【０００２】
【従来の技術】
図３は従来の音響反射板装置を備えた舞台の縦断面図である。図において、１０１は舞台、１０２は舞台の天井部、１０３ａ，１０３ｂは上記天井部に設けられている音響反射板収納部、実線で示した１０４ａ，１０４ｂは上記の収納部にそれぞれ収納されている音響反射板である。各音響反射板は天井部から、巻き揚げ機（図示省略）に巻かれたワイヤロープで吊り下げられ、鉛直な状態で収納されている。点線で示した１０４ａ，１０４ｂは上記ワイヤロープを巻き戻し、下方へ引き下げて斜に展張された音響反射板を示している。音響反射板は収納部の下方に設けられた電動展張機（図示省略）によって展張される。
【０００３】
【発明が解決しようとする課題】
上述のような従来の昇降式音響反射板装置では、収納状態でも舞台１０１上の演技者や作業者の頭上に比較的重量の大きい音響反射板１０４ａ，１０４ｂが存在することにより安全上問題があるほか、音響反射板１０４自体も比較的厚みがあるため天井部１０２に占める収納部１０３ａ，１０３ｂの割合が大きくて他の吊物設備との干渉問題が生じる場合が多く、演出効果を上げるための障害になっていた。
【０００４】
本発明は、上記従来技術の欠点を解消するために案出されたものであって、音響反射板を舞台後方の上部に一括して収納して舞台上の安全を確保し、音響反射板の収納と展張を自動的に行い、他の吊物設備との干渉も少なくかつ多くの吊物が設置できるようにした、演出効果上好ましい音響反射板装置を提供しようとするものである。
【０００５】
【課題を解決するための手段】
本発明は上記課題を解決したものであって、次の特徴を有する舞台の音響反射板装置に関するものである。
【０００６】
（１）  建屋フレームに支持されて舞台の左右両側部に設けられその側面形は中央部が湾曲し同湾曲部より上部は舞台後方上部において鉛直であり同湾曲部より下部は舞台上方において前方やや斜め上方へ向けて傾斜した形状を有する一対のガイドレール、互いに縁を近接させた複数の音響反射板と上記ガイドレールに沿って転動するよう側部に設けられた自走車輪と従動車輪とを備えた音響反射板組立体、上記ガイドレールの鉛直部の上方に設けられた正逆回転可能な巻き揚げ機、及び同巻き揚げ機によって上記音響反射板組立体をガイドレールに沿って昇降させるロープからなり、音響反射板を使わない時は音響反射板を引き上げて上記両ガイドレールの鉛直部の間に収納し、音響反射板を使う時は音響反射板の引き上げを解除して上記両ガイドレールの傾斜部の間に展張する。
【０００７】
（２）  上記（１）項に記載の舞台の音響反射板装置において、上記ロープの端が、蝶番によって音響反射板組立体に接続された連結金具に取り付けられている。
【０００８】
（３）  上記（１）項に記載の舞台の音響反射板装置において、音響反射板組立体に連なるロープの、巻き揚げ機のロープドラムに巻かれた後の端部には、カウンターウエイトが吊り下げられている。
【０００９】
（４）  上記（１）〜（３）項に記載の舞台の音響反射板装置において、上記巻き揚げ機は、正逆回転可能の駆動部と、同駆動部に連なる駆動軸と、同駆動軸に複数個取り付けられたロープドラムと、各ロープドラムに対応して設けられた滑車と、ロープ端部に吊り下げるカウンターウエイトとから構成され、複数のロープドラムに対応する複数のロープによって音響反射板組立体が昇降させられる。
【００１０】
【発明の実施の形態】
図１は本発明の実施の一形態に係る音響反射板装置を備えた舞台の縦断面図、図２は同装置の斜視図である。図において、１は舞台、２は建屋の後部フレーム、３は同建屋後部フレームに保持され舞台の左右側部において舞台前方斜め上方へ向けて突出するよう設けられた一対の側部フレーム、４７は建屋後部フレーム２と側部フレーム３とによって支持されているガイドレールであって、その断面は内向き溝を形成する「コ」字形をなし、その側面形は中央部が湾曲し、ほぼ「Ｌ」字形をなしている。
【００１１】
３０は音響反射板保持フレーム、３１，３２，３３は同音響反射板保持フレームにそれぞれ取付けてある音響反射板である。４１および４２は上記保持フレームの側部に設けられ、前記ガイドレールの内向き溝内で転動する車輪であって、４２はモータ４５によって駆動される自走車輪、４１は自由回転する従動車輪である。上記音響反射板保持フレーム３０、音響反射板３１，３２，３３、車輪４１，４２、及びモータ４５によって音響反射板組立体が形成されている。
【００１２】
３５は連結金具、３６は同連結金具を音響反射板保持フレーム３０に回動可能に接続する蝶番である。２９は各一端が上記連結金具３５の一つの縁に整列して取り付けてある複数のワイヤロープである。
【００１３】
２１は舞台天井部のすのこ１３上に設けてあるワイヤロープ巻き揚げ用の駆動部であり、正逆回転可能の電動ギャードモータからなるものである。２２は同駆動部によって回転駆動される駆動軸、２３は同駆動軸に固定され、同駆動軸と共に回転するワイヤロープドラムであり、各ワイヤロープ２９に対応してそれぞれ設けられている。２４及び２５はその軸が天井部あるいは建屋後部フレームに固定されている滑車であり、各ワイヤロープ２９に対応してそれぞれ設けられている。２７は各ワイヤロープ２９の固定端、２６は同ワイヤロープの固定端２７と滑車２５との間のワイヤロープの垂下部に滑車を介して吊り下げられているカウンターウェイトである。各ワイヤロープ２９は対応するワイヤロープドラム２３にそれぞれ２回程度巻かれている。上記２１，２２，２３，２４，２５，２６，２７によって巻き揚げ機２０が構成されている。
【００１４】
図１のＡは舞台後方上部の音響反射板収納部であり、音響反射板は鉛直な姿勢で収納される。Ｂは音響反射板展張領域であり、舞台前方に対して斜め上方へ向けて音響反射板が展張される。
【００１５】
本装置において、音響反射板を使用しない時は、巻き揚げ機２０を巻き揚げ方向へ駆動し、ワイヤロープ２９によって音響反射板保持フレーム３０をガイドレール４７に沿って引き上げ、図１の収納部Ａに収納する。音響反射板３１，３２，３３は同フレーム３０と一体になっているので共に引き上げられ収納される。ガイドレールの湾曲部では蝶番３６の作用によって連結金具３５が保持フレーム３０に対して適切な角度で回動するので、保持フレーム３０を無理なく引き上げることができる。ワイヤロープ２９にはカウンターウェイト２６が吊り下げてあるので、巻き揚げ機２０の駆動部の負荷を軽減している。車輪４１，４２の間隔は、ガイドレール４７の湾曲部を越えられるよう設定されている。下端側の自走車輪４２の作用によって保持フレーム３０の移動がスムーズに行われる。
【００１６】
音響反射板３１，３２，３３を使用する時には、巻き揚げ機２０を巻き下げ方向へ駆動し、音響反射板保持フレーム３０を下方へ移動させかつガイドレール４７に沿って方向を変えて音響反射板展張領域Ｂへ移動させて展張する。この時ガイドレールの傾斜部では自走車輪４２の作用によって保持フレーム３０の移動がスムーズに行われる。
【００１７】
上記構成の音響反射板装置では、保持フレームに取付けられた複数組の音響反射板を非使用時に収容するための収納部Ａを、舞台後方上部に垂直に形成しており、その上方に設けられた巻き揚げ機によって音響反射板全体を該収納部に引き揚げて収納し、ボーダーライトやサスペンションライトやカスミ幕等の他の吊物との干渉を最少限に抑えている。さらに舞台上の重量落下物に対する安全性が確保されている。また音響反射板は舞台上方の展張領域Ｂにかけて建屋の左右の側部フレームに各々設けられた略Ｌ形状のガイドレールに沿って巻き揚げ機の解放作動によって下降し、更に音響反射板の両側部に設けられた自走車輪と従動車輪とによって上記展張領域Ｂに自動的に迅速に展張される。
【００１８】
【発明の効果】
上述の如く、本発明の舞台の昇降式音響反射板装置によれば、非使用時に音響反射板を収容する収納部を舞台後方上部に垂直に形成しており、その上方に設けた巻き揚げ機によって音響反射板全体を引き揚げて収納するようにしているため他の吊物との干渉を最少限に抑えて演出上効果的な各種の吊物を多数用意できると共に舞台上の重量落下物に対する安全性が確保される。また音響反射板使用時には、収納部から舞台天井の展張領域にかけて建屋の左右のフレームに各々設けられた略Ｌ形状のガイドレールに沿って、巻き揚げ機の解放作動によって下降し、更に音響反射板の両側部に設けられた自走車輪と従動車輪とによって展張領域に自動的に展張されることになり省力化を図ることが可能となる等の顕著な効果がある。
【図面の簡単な説明】
【図１】本発明の実施の一形態に係る音響反射板装置を備えた舞台の縦断面図。
【図２】同音響反射板装置の斜視図。
【図３】従来の音響反射板装置を備えた舞台の縦断面図。
【符号の説明】
Ａ      収納部
Ｂ      展張領域
１      舞台
２      建屋後部フレーム
３      側部フレーム
１３    すのこ
２０    巻き揚げ機
２１    駆動部
２２    駆動軸
２３    ワイヤロープドラム
２４    滑車
２５    滑車
２６    カウンターウェイト
２７    ワイヤロープ固定端
２９    ワイヤロープ
３０    音響反射板保持フレーム
３１    音響反射板
３２    音響反射板
３３    音響反射板
３５    連結金具
３６    蝶番
４１    従動車輪
４２    自走車輪
４５    モータ
４７    ガイドレール
【図１】
0003686200.tif 000002
【図２】
0003686200.tif 000003
【図３】
0003686200.tif 000004